(57)【要約】      （修正有）【課題】携帯情報端末の周辺機器から個別識別情報を取得することにより、対象の携帯情報端末の場所特定の補助に用いることが可能な無線通信システム方法を提供する。【解決手段】ＰＣ端末２５はインターネット網２４等を介して携帯電話機Ａ２０に個別識別情報を取得するように指示する要求信号を送信する。携帯電話機は要求信号に応じてブルートゥース通信部や無線ＬＡＮ通信部を起動し、周辺機器から個別識別情報を検索し、取得した個別識別情報をＰＣ端末２５に送信する。個別識別情報は機器を識別するための情報であるが、取得した個別識別情報からその機器の種別等が分かり、携帯電話機の場所の特定の補助となる。【選択図】図１
2011109512.tif 000002
【特許請求の範囲】
【請求項１】
ブルートゥース通信部、メール機能及びネットワーク接続機能を有する携帯情報端末と、前記携帯情報端末とネットワークを介して接続可能な情報処理端末とを有する無線通信システムであって、
前記情報処理端末は、前記ネットワークを介して前記携帯情報端末に接続し、当該携帯情報端末に対して周辺機器から個別識別情報を取得するように指示する要求信号を送信する手段を有し、
前記携帯情報端末は、前記要求信号に応じて前記ブルートゥース通信部を起動し、周辺機器から個別識別情報を検索する手段と、
前記周辺機器から取得した個別識別情報を前記ネットワークを介して前記情報処理端末に送信する手段と、
を備えたことを特徴とする無線通信システム。
【請求項２】
無線ＬＡＮ通信部、メール機能及びネットワーク接続機能を有する携帯情報端末と、前記携帯情報端末とネットワークを介して接続可能な情報処理端末とを有する無線通信システムであって、
前記情報処理端末は、前記ネットワークを介して前記携帯情報端末に接続し、当該携帯情報端末に対して周辺機器から個別識別情報を取得するように指示する要求信号を送信する手段を有し、
前記携帯情報端末は、前記要求信号に応じて前記無線ＬＡＮ通信部を起動し、周辺機器から個別識別情報を検索する手段と、
前記周辺機器から取得した個別識別情報を前記ネットワークを介して前記情報処理端末に送信する手段と、
を備えたことを特徴とする無線通信システム。
【請求項３】
ブルートゥース通信部、無線ＬＡＮ通信部、メール機能及びネットワーク接続機能を有する携帯情報端末と、前記携帯情報端末とネットワークを介して接続可能な情報処理端末とを有する無線通信システムであって、
前記情報処理端末は、前記ネットワークを介して前記携帯情報端末に接続し、当該携帯情報端末に対して周辺機器から個別識別情報を取得するように指示する要求信号を送信する手段を有し、
前記携帯情報端末は、前記要求信号に応じて前記ブルートゥース通信部又は無線ＬＡＮ通信部のいずれか一方を起動し、周辺機器から個別識別情報を検索する手段と、
前記周辺機器から個別識別情報を取得できなかった時に他方の通信部を起動し、周辺機器から個別識別情報を検索する手段と、
前記周辺機器から取得した個別識別情報を前記ネットワークを介して前記情報処理端末に送信する手段と、
を備えたことを特徴とする無線通信システム。
【請求項４】
前記携帯情報端末はメイン電池及びサブ電池を有し、前記メイン電池からの電源供給が遮断された時には前記サブ電池からの電源供給に切り替えることを特徴とする請求項１乃至３のいずれか１項に記載の無線通信システム。
【請求項５】
ブルートゥース通信部、メール機能及びネットワーク接続機能を有する携帯情報端末と、前記携帯情報端末とネットワークを介して接続可能な情報処理端末とを有するシステムの個別識別情報取得方法であって、
前記情報処理端末により、前記ネットワークを介して前記携帯情報端末に接続し、当該携帯情報端末に対して周辺機器から個別識別情報を取得するように指示する要求信号を送信する工程と、
前記携帯情報端末により、前記要求信号に応じて前記ブルートゥース通信部を起動し、周辺機器から個別識別情報を検索する工程、
及び前記周辺機器から取得した個別識別情報を前記ネットワークを介して前記情報処理端末に送信する工程と、
を含むことを特徴とする個別識別情報取得方法。
【請求項６】
無線ＬＡＮ通信部、メール機能及びネットワーク接続機能を有する携帯情報端末と、前記携帯情報端末とネットワークを介して接続可能な情報処理端末とを有するシステムの個別識別情報取得方法であって、
前記情報処理端末により、前記ネットワークを介して前記携帯情報端末に接続し、当該携帯情報端末に対して周辺機器から個別識別情報を取得するように指示する要求信号を送信する工程と、
前記携帯情報端末により、前記要求信号に応じて前記無線ＬＡＮ通信部を起動し、周辺機器から個別識別情報を検索する工程、
及び前記周辺機器から取得した個別識別情報を前記ネットワークを介して前記情報処理端末に送信する工程と、
を含むことを特徴とする個別識別情報取得方法。
【請求項７】
ブルートゥース通信部、無線ＬＡＮ通信部、メール機能及びネットワーク接続機能を有する携帯情報端末と、前記携帯情報端末とネットワークを介して接続可能な情報処理端末とを有するシステムの個別識別情報取得方法であって、
前記情報処理端末により、前記ネットワークを介して前記携帯情報端末に接続し、当該携帯情報端末に対して周辺機器から個別識別情報を取得するように指示する要求信号を送信する工程と、
前記携帯情報端末により、前記要求信号に応じて前記ブルートゥース通信部又は無線ＬＡＮ通信部のいずれか一方を起動し、周辺機器から個別識別情報を検索する工程、及び前記周辺機器から個別識別情報を取得できなかった時に他方の通信部を起動し、周辺機器から個別識別情報を検索する工程、
前記周辺機器から取得した個別識別情報を前記ネットワークを介して前記情報処理端末に送信する工程と、
を含むことを特徴とする個別識別情報取得方法。
【請求項８】
前記携帯情報端末はメイン電池及びサブ電池を有し、前記メイン電池からの電源供給が遮断された時には前記サブ電池からの電源供給に切り替えることを特徴とする請求項５乃至７のいずれか１項に記載の個別識別情報取得方法。
【発明の詳細な説明】
【技術分野】
【０００１】
本発明は、ブルートゥース通信や無線ＬＡＮ通信等を利用して、携帯情報端末等の機器の周辺から個別識別情報を取得する無線通信システム及びその個別識別情報取得方法に関するものである。
【背景技術】
【０００２】
近年、携帯電話機、パソコン、ゲーム機器等では、外部機器と接続するブルートゥース通信機や無線ＬＡＮ通信機を備えているものが多くなっている。また、ＧＰＳ受信機を搭載し、補助電池を内蔵した携帯電話機においては、携帯電話機の位置を検索することは可能であるが、高層の建物内や受信しにくいエリア等では位置情報や周辺情報を正確に特定するのが難しい場合がある。
【０００３】
特許文献１には、近距離無線通信を利用して、例えば、子供の携帯電話機の近くにいる携帯電話機の近辺に存在する携帯電話機を所持している相手を識別するための「相手ＩＤ」を取得し、「相手ＩＤ」がアドレス帳に登録されているか否かを判定することで、子供の近くに知り合いがいるのか不明相手がいるのかを、母親等にメールで通知することが記載されている。
【先行技術文献】
【特許文献】
【０００４】
【特許文献１】特開２００８−２１９３１４号公報
【発明の概要】
【発明が解決しようとする課題】
【０００５】
特許文献１の方法は、近距離通信を利用して対象の携帯電話機の近辺にいる携帯電話機の所有者が知っている人か不明者であるのかを判定することにより、例えば、子供がどのような相手と一緒にいるかが分かるようにするものであり、対象の携帯電話機の位置を特定するものではない。
【０００６】
本発明の目的は、対象の携帯情報端末の周辺機器から個別識別情報を取得することにより、携帯情報端末の場所特定の補助に用いることが可能な無線通信システム及びその個別識別情報取得方法を提供することにある。
【課題を解決するための手段】
【０００７】
本発明は、情報処理端末からネットワークを介して携帯情報端末に対して周辺機器から個別識別情報（例えば、ＢＤアドレスやＭＡＸアドレス等）を取得するように指示する要求信号を送信する。携帯情報端末は要求信号に応じてブルートゥース通信部又は無線ＬＡＮ通信部を起動して周辺機器から個別識別情報を検索し、その周辺機器から取得した個別識別情報をネットワークを介して情報処理端末に送信する。個別識別情報は機器を識別するための情報であるが、取得した個別識別情報からその機器の種別等が分かるため、携帯情報端末の場所の特定の補助となる。
【発明の効果】
【０００８】
本発明によれば、ブルートゥース通信や無線ＬＡＮ通信を利用して周辺機器から個別識別情報を取得することにより、犯罪等の緊急時に周辺機器の個別識別情報を場所特定の補助に用いることが可能となる。また、高層の建物内や受信しにくいエリア等であっても周辺機器からの個別識別情報を取得できるので、犯罪等の緊急時において場所特定の補助に好適に用いることができる。
【図面の簡単な説明】
【０００９】
【図１】本発明に係る無線通信システムの第１の実施形態の構成を示すブロック図である。
【図２】図１の携帯電話機Ａ２０の一例を示すブロック図である。
【図３】図１の携帯電話機Ｂ２１の一例を示すブロック図である。
【図４】図１の実施形態の動作を説明するフローチャートである。
【図５】本発明の第２の実施形態の動作を説明するフローチャートである。
【図６】本発明の第３の実施形態の動作を説明するフローチャートである。
【発明を実施するための形態】
【００１０】
次に、発明を実施するための形態について図面を参照して詳細に説明する。
【００１１】
（第１の実施形態）
図１は本発明に係る無線通信システムの第１の実施形態を示すブロック図である。図中Ａ２０及びＡ２１は携帯情報端末としての携帯電話機、２２は無線ＬＡＮアクセスポイント、２３は電話通信網、２４はインターネット網、２５はＰＣ端末（情報処理端末）である。携帯電話機Ａ２０及びＢ２１は、通話機能、電子メール機能、インターネット接続機能、ブルートゥース通信機能、無線ＬＡＮ通信機能等を備えている。
【００１２】
また、携帯電話機Ａ２０はメイン電池の他にサブ電池を備えている。ＰＣ端末２５はインターネット網２４、電話通信網２３を介して携帯電話機Ａ２０に接続することが可能である。本実施形態では、例えば、携帯電話機Ａ２０の所有者が犯罪等に巻き込まれ、行方を探し出すため、その場所特定の補助を行うことを想定している。そのため、ＰＣ端末２５は、例えば、捜査関係者が使用するものとする。
【００１３】
即ち、携帯電話機Ａ２０の周辺機器から個別識別情報を取得して場所の特定の補助に用いるものとする。個別識別情報とは、例えば、ＢＤアドレスやＭＡＸアドレス等である。ＢＤアドレスやＭＡＸアドレス等は機器を識別するための情報であり、取得した個別識別情報からその機器の種別（無線ＬＡＮのアクセスポイント、携帯電話機、Ｍ３Ｐプレーヤー、ゲーム機器等）や製造メーカや製造番号等が分かる。つまり、取得した個別識別情報から直接、場所を特定する訳ではなく、取得した個別識別情報を場所特定の補助に使用するものである。
【００１４】
例えば、公共の無線ＬＡＮのアクセスポイントであれば個別識別情報から設置場所を特定でき、携帯電話機であれば個別識別情報から契約者を特定することができる。また、ゲーム機器等の場合もユーザー登録情報から購入者情報を特定できるため、場所特定の補助に用いることが可能である。
【００１５】
図２は携帯電話機Ａ２０の一例を示すブロック図である。図中１はブルートゥース通信部、２はブルートゥース用アンテナ、３は無線ＬＡＮ通信を行う無線ＬＡＮ通信部、４は無線ＬＡＮ用アンテナである。また、５は送受信部、６は送受信用アンテナ、７はメイン電池、８はサブ電池、１２は操作部、１３はＬＣＤ等の表示部、９は各部を制御する制御部である。制御部９は電源供給検出・切替部１０、タイマ１１、メールデータ生成部１４を備えている。
【００１６】
電源供給検出・切替部１０はメイン電池７の電源供給を監視し、メイン電池７からの電源供給が遮断された場合にはサブ電池８に切り替える。タイマ１１はサブ電池８に切り替えられた時に時間を計時し、予め設定した時間が経過すると、ブルートゥース通信部１もしくは無線ＬＡＮ通信部３に起動信号を送出する。メールデータ生成部１４はブルートゥース通信部１もしくは無線ＬＡＮ通信部３から個別識別情報信号が入力されると、メールデータを生成して送受信部５へ送出する。
【００１７】
図２は携帯電話機Ｂ２１の一例を示すブロック図である。携帯電話機Ｂ２１は携帯電話機Ａ２０に対してサブ電池８を備えていない点、制御部内に電源供給検出・切替部１０、タイマ１１、メールデータ生成部１４を備えていない点で相違する。その他は携帯電話機Ａ２０と同様である。簡単に説明すると、１ｂはブルートゥース通信部、２ｂはブルートゥース用アンテナ、３ｂは無線ＬＡＮ通信を行う無線ＬＡＮ通信部、４ｂは無線ＬＡＮ用アンテナ、５は送受信部、６は送受信用アンテナ、７はメイン電池、１２は操作部、１３は表示部、９ｂは制御部である。
【００１８】
次に、本実施形態の動作を図１乃至図４を用いて説明する。図４は本実施形態の動作を説明するフローチャートである。なお、上述のように捜査関係者がＰＣ端末２５からインターネット網２４等を介して携帯電話機Ａ２０と接続し、携帯電話機Ａ２０の周辺機器から個別識別情報を取得するものとする。
【００１９】
まず、ステップＳ１で動作をスタートすると、ステップＳ２で携帯電話機Ａ２０がメイン電池７からの電源供給かサブ電池８からの電源供給かを判定し、メイン電池７からの電源供給の場合にはステップＳ３に進む。ステップＳ３では捜査関係者がＰＣ端末２５からインターネット網２４、電話通信網２３を介して携帯電話機Ａ２０と接続し、その所在情報を入手するため周辺端末情報要求信号を送信し、周辺機器の個別識別情報の取得要求を行ったものとする。
【００２０】
この周辺端末情報要求信号は、携帯電話機Ａ２０の送受信用アンテナ６、送受信部５を介して制御部９に入力される。携帯電話機Ａ２０の制御部９は周辺端末情報要求信号を受信すると、ブルートゥース通信部１を起動し、ブルートゥース用アンテナ２を介して周辺のブルートゥース通信圏内の周辺機器から個別識別情報信号（ＢＤアドレス等）を検索する（ステップＳ４）。
【００２１】
通常、ブルートゥース通信には機器の種類毎に策定されたプロトコルがあり、機器間で通信する場合には同じプロファイルを有し、認証鍵を一致させる必要がある。この認証に用いられるのがＢＤアドレス等の個別識別情報であり、ブルートゥース機器は接続する為に個別識別情報を発信する。
【００２２】
即ち、ブルートゥース通信機器は、通信時、つまり、ブルートゥースの電源オン時には周辺に接続可能な機器がないかＢＤアドレス等の個別識別情報を発信する。機器間で通信する場合には同じプロファイルを持ち、認証鍵を一致させる必要がある。例えば、携帯電話機とワイヤレスイヤホンを接続して音楽を聴く、携帯電話機とＰＣを接続してデータを送信する等の例がある。
【００２３】
図１の例では、携帯電話機Ａ２０のブルートゥース通信部１がオンの場合には、個別識別情報信号を発信する。携帯電話機Ｂ２１は携帯電話機Ａ２０の個別識別情報信号を受信するが、上述のような「携帯電話機とワイヤレスイヤホン」間や「携帯電話機とＰＣ」間のような通信ではない。よって、図３の説明上、携帯電話機Ａ２０と携帯電話機Ｂ２１間では策定されたプロトコル上での通信ではない。携帯電話機Ａ２０と無線ＬＡＮアクセスポイントの場合も同様である。
【００２４】
ここで、例えば、携帯電話機Ａ２０が携帯電話機Ｂ２１内に実装されているブルートゥース通信部１ｂから発信された個別識別情報信号を受信すると、ブルートゥース用アンテナ２、ブルートゥース通信部１を介して個別識別情報信号が制御部９内に入力される（ステップＳ４）。ステップＳ４で周辺機器から個別識別情報信号を受信できない場合には、受信できるまで検索動作を繰り返し行う。
【００２５】
携帯電話機Ａ２０は周辺機器から個別識別情報信号を取得すると、制御部９は内部のメールデータ生成部１４でメールデータを作成し、送受信部５、送受信用アンテナ６を介して電話通信網２３へ送信し、更にインターネット網２４を介して使用者のＰＣ端末２５に取得した個別識別情報を送信する（ステップＳ５）。ＰＣ端末２５に送信された周辺機器の個別識別情報は、捜査対象である携帯電話機Ａ２０の場所を特定するための補助に用いられる。
【００２６】
一方、ステップＳ２で携帯電話機Ａ２０がメイン電池７からの電源供給ではない場合には、ステップＳ６へ進む。ステップＳ６ではメイン電池７からの電源供給が遮断されたことを確認する。メイン電池７からの電源供給の遮断としては、所有者又は第３者による操作部１２からの電源オフがなされた場合、携帯電話機本体からメイン電池７が取り外された場合等がある。電池容量切れの場合もある。
【００２７】
メイン電池７からの電源供給が遮断されると、ステップＳ７で電源供給検出・切替部１０はメイン電池７から携帯電話機Ａ２０に内蔵されたサブ電池８に電源供給の切り替えを行う。この時、表示部１３は起動しないため、メイン電池７からの電源供給を遮断した人物には電源供給がなされていることは気付かれない。つまり、携帯電話機Ａ２０の所有者が犯罪（誘拐、監禁等）等に巻き込まれ、携帯電話機Ａ２０の電源が強制的に遮断された場合には、自動的にサブ電池８に切り替えられ、携帯電話機Ａ２０はそのまま動作を続けることになる。
【００２８】
次いで、ステップＳ８でタイマ１１が起動し、予め設定された時間が経過すると、ステップＳ４へ進む。ステップＳ４以降の動作は、上述のようにブルートゥース通信部１を起動し、周辺機器から個別識別情報信号を受信してＰＣ端末２５に個別識別情報をメールで送信する。なお、図１では、携帯電話機Ａ２０の周辺機器として携帯電話機Ｂ２１のみを示しているが、ブルートゥース通信圏内の全ての周辺機器から個別識別情報が取得され、得られた個別識別情報がＰＣ端末２５に送信され、携帯電話機Ａ２０の場所を特定するための補助に用いられる。
【００２９】
本実施形態では、ブルートゥース通信を利用して周辺機器から個別識別情報を取得しているため、対象の携帯電話機の場所特定の補助に用いることができ、犯罪等に巻き込まれた際の捜査に役立てることが可能となる。また、高層の建物内や受信しにくいエリア等であっても携帯電話機の周辺の個別識別情報を取得することが可能となる。更に、メイン電池が強制的に遮断された場合には自動的にサブ電池に切り替えることにより、携帯電話機の電源オンが気付かれることなく、周辺機器の個別識別情報が得られ、犯罪等に巻き込まれた場合の場所特定に役立つ。
【００３０】
（第２の実施形態）
次に、本発明の第２の実施形態を図１乃至図３及び図５を用いて説明する。図５は本実施形態の動作を説明するフローチャートである。図４の実施形態ではブルートゥース通信によって個別識別情報を取得する例を説明したが、本実施形態では無線ＬＡＮ通信によって個別識別情報を取得する例を説明する。
【００３１】
また、本実施形態の無線通信システムの構成は図１と同様である。また、携帯電話機Ａ２０は図２、携帯電話機Ｂ２１は図３と同様である。更に、図４のＳ４ではブルートゥース通信部１を起動して周辺機器の個別識別情報を取得しているのに対し、図５ではＳ９で無線ＬＡＮ通信部３を起動して個別識別情報を取得している点が異なる。その他の処理は図４の説明と同様である。
【００３２】
図５に示すようにステップＳ１で動作をスタートすると、図４と同様にステップＳ２で携帯電話機Ａ２０がメイン電池７からの電源供給かサブ電池８からの電源供給かを判定し、メイン電池７からの電源供給の場合にはステップＳ３に進む。ステップＳ３では、ＰＣ端末２５の使用者がインターネット網２４、電話通信網２３を介して携帯電話機Ａ２０に所在情報を入手するため周辺端末情報要求信号を送信し、周辺情報の取得要求を行ったものとする。
【００３３】
周辺端末情報要求信号は携帯電話機Ａ２０の送受信用アンテナ６、送受信部５を介して制御部９に入力される。制御部９は周辺端末情報要求信号を受信すると、無線ＬＡＮ通信部３を起動し、無線ＬＡＮ通信用アンテナ４を介して周辺の無線ＬＡＮ通信圏内の個別識別情報信号（ＭＡＣアドレス等）を検索する（ステップＳ９）。図１の例では携帯電話機Ｂ２１、無線ＬＡＮアクセスポイント２２等がある。
【００３４】
通常、無線ＬＡＮ通信の接続にはアクセスポイントとクライアントの認証の設定を一致させる必要がある。この認証に用いられるのがＭＡＣアドレス等の個別識別情報であり、無線ＬＡＮ通信を行うため個別識別情報を発信する。
【００３５】
例えば、図１に示す携帯電話機Ｂ２１内に実装されている無線ＬＡＮ通信部３ｂから発信された個別識別情報信号を携帯電話機Ａ２０が受信した場合には、無線ＬＡＮ用アンテナ４、無線ＬＡＮ通信部３を介して制御部９に入力され、ステップＳ５へ進む。また、無線ＬＡＮアクセスポイント２２から発信された個別識別情報信号を携帯電話機Ａ２０が受信した場合には、無線ＬＡＮ用アンテナ４、無線ＬＡＮ通信部３を介して制御部９に入力され、ステップＳ５へ進む。周辺機器から個別識別情報信号を受信できない場合には、受信できるまで検索動作を繰り返し行う。
【００３６】
周辺機器から個別識別情報信号を取得すると、制御部９は内部のメールデータ生成部１４でメールデータを作成し、送受信部５、送受信用アンテナ６を介して電話通信網２３へ送信し、更にインターネット網２４を介してＰＣ端末２５に周辺機器の個別識別情報を送信する（ステップＳ５）。
【００３７】
一方、ステップＳ２で携帯電話機Ａ２０がメイン電池７からの電源供給ではない場合には、ステップＳ６でメイン電池７からの電源供給が遮断されことを確認する。メイン電池７からの電源供給の遮断としては、使用者又は第３者による操作部１２からの電源オフがなされた場合、携帯電話機本体からメイン電池７が取り外された場合、電池容量切れの場合がある。
【００３８】
メイン電池７からの電源供給が遮断されると、同様にステップＳ７で電源供給検出・切替部１０はメイン電池７からサブ電池８に電源供給の切り替えを行い、この時、表示部１３は起動しないため、メイン電池７からの電源供給を遮断した人物には電源供給がなされていることは気付かれない。つまり、上述のように携帯電話機Ａ２０の電源が強制遮断された場合には、自動的にサブ電池８に切り替えられ、携帯電話機Ａ２０はそのまま動作を続けることになる。
【００３９】
次に、ステップＳ８でタイマ１１を起動し、予め設定された時間を経過すると、ステップＳ９へ進む。ステップＳ９以降の動作は、上述のように無線ＬＡＮ通信部３を起動し、周辺機器から個別識別情報信号を検索して、得られた全ての個別識別情報をＰＣ端末２５に送信する。
【００４０】
本実施形態では、無線ＬＡＮ通信を利用して周辺機器から個別識別情報を取得しているため、同様に対象の携帯電話機の場所特定の補助に用いることができる。また、高層の建物内や受信しにくいエリア等であっても周辺機器の個別識別情報を取得することが可能となる。更に、メイン電池が強制的に遮断された場合には自動的にサブ電池に切り替えることにより、携帯電話機の電源オンが気付かれることなく、周辺機器の個別識別情報が得られ、犯罪等に巻き込まれた場合の場所特定に役立つ。
【００４１】
（第３の実施形態）
次に、本発明の第３の実施形態を図１乃至図３及び図６を用いて説明する。図６は本実施形態の動作を説明するフローチャートである。図４ではブルートゥース通信によって個別識別情報を取得する例を、図５では無線ＬＡＮ通信によって個別識別情報を取得する例を説明したが、本実施形態ではブルートゥース通信と無線ＬＡＮ通信を用いて周辺機器の個別識別情報を取得する例を説明する。
【００４２】
本実施形態の無線通信システムの構成は図１と同様であり、携帯電話機Ａ２０は図２と同様であり、携帯電話機Ｂ２１は図３と同様であるので詳しい説明は省略する。更に、図６ではステップＳ１、Ｓ２、Ｓ３、Ｓ５、Ｓ６〜Ｓ８の処理は図４、図５の同一ステップ番号の処理と同様である。
【００４３】
図６に示すようにステップＳ１で動作をスタートすると、同様にステップＳ２で携帯電話機Ａ２０がメイン電池７からの電源供給かサブ電池８からの電源供給かを判定し、メイン電池７からの電源供給の場合にはステップＳ３に進む。ステップＳ３では、同様にＰＣ端末２５の使用者がインターネット網２４、電話通信網２３を介して携帯電話機Ａ２０に所在情報を入手するため周辺端末情報要求信号を送信し、周辺情報の取得要求を行ったものとする。
【００４４】
周辺端末情報要求信号は携帯電話機Ａ２０の送受信用アンテナ６、送受信部５を介して制御部９に入力される。制御部９は周辺端末情報要求信号を受信すると、図４の説明と同様にブルートゥース通信部１を起動し、ブルートゥース用アンテナ２を介して携帯電話機Ａ２０周辺のブルートゥース通信圏内の個別識別情報信号（ＢＤアドレス等）を検索する（ステップＳ１０）。
【００４５】
例えば、図１に示す携帯電話機Ｂ２１内に実装されているブルートゥース通信部１ｂから発信された個別識別情報信号を携帯電話機Ａ２０が受信した場合には、その個別識別情報はブルートゥース用アンテナ２、ブルートゥース通信部１を介して制御部９内に入力される（ステップＳ１０）。
【００４６】
周辺機器から個別識別情報信号を取得すると、制御部９は内部のメールデータ生成部１４でメールデータを作成し、送受信部５、送受信用アンテナ６を介して電話通信網２３へ送信し、インターネット網２４を介してＰＣ端末２５に周辺機器の個別識別情報信号を送信する（ステップＳ５）。
【００４７】
また、ステップＳ１０で周辺機器から個別識別情報信号を受信できない場合には、ステップＳ１１へ進み、図５と同様に制御部９は無線ＬＡＮ通信部３を起動し、無線ＬＡＮ通信用アンテナ４を介して周辺の無線ＬＡＮ通信圏内の個別識別情報信号（ＭＡＣアドレス等）を検索する（ステップＳ１１）。
【００４８】
例えば、図１に示す携帯電話機Ｂ２１内の無線ＬＡＮ通信部３ｂから発信された個別識別情報信号を携帯電話機Ａ２０が受信した場合には、無線ＬＡＮ用アンテナ４、無線ＬＡＮ通信部３を介して制御部９に入力され、ステップＳ５へ進む。また、無線ＬＡＮアクセスポイント２２から発信された個別識別情報信号を携帯電話機Ａ２０が受信した場合には、無線ＬＡＮ用アンテナ４、無線ＬＡＮ通信部３を介して制御部９に入力され、ステップＳ５へ進む。ステップＳ１１で周辺機器から個別識別情報信号を受信できない場合には、ステップＳ１０へ戻り、個別識別情報を受信できるまでステップＳ１０からＳ１１で個別識別情報の検索動作を繰り返し行う。
【００４９】
周辺機器から個別識別情報信号を取得すると、制御部９は内部のメールデータ生成部１４でメールデータを作成し、送受信部５、送受信用アンテナ６を介して電話通信網２３へ送信し、更にインターネット網２４を介してＰＣ端末２５に周辺機器の個別識別情報信号を送信する（ステップＳ５）。
【００５０】
一方、ステップＳ２で携帯電話機Ａ２０がメイン電池７からの電源供給ではない場合には、同様にステップＳ６でメイン電池７からの電源供給が遮断されことを確認する。メイン電池７からの電源供給の遮断としては、使用者又は第３者による操作部１２からの電源オフがなされた場合、携帯電話機本体からメイン電池７が取り外された場合、電池容量切れの場合がある。
【００５１】
メイン電池７からの電源供給が遮断されると、ステップＳ７で電源供給検出・切替部１０はメイン電池７からサブ電池８に電源供給の切り替えを行い、この時、表示部１３は起動しないため、メイン電池７からの電源供給を遮断した人物には電源供給がなされていることは気付かれない。つまり、上述のように携帯電話機Ａ２０の電源が強制的に遮断された場合には、自動的にサブ電池８に切り替えられ、携帯電話機Ａ２０はそのまま動作を続けることになる。
【００５２】
次いで、ステップＳ８でタイマ１１が起動し、予め設定された時間を経過すると、ステップＳ１０へ進む。ステップＳ１０以降の動作は上述のようにブルートゥース通信部１や無線ＬＡＮ通信部３を起動し、周辺機器から個別識別情報信号を検索してＰＣ端末２５に送信する。なお、ブルートゥース通信部１を先に起動し、無線ＬＡＮ通信部３を後に起動しているが、起動する順序は逆でもよい。
【００５３】
本実施形態では、ブルートゥース通信及び無線ＬＡＮ通信を利用して周辺機器から個別識別情報を取得しているため、ブルートゥース通信により周辺機器の個別識別情報を取得できなくても無線ＬＡＮ通信により個別識別情報を取得することが可能となり、より確実に周辺機器の個部識別情報を取得することができる。また、高層の建物内や受信しにくいエリア等であっても周辺機器の個別識別情報を取得することが可能となる。更に、メイン電池が強制的に遮断された場合には自動的にサブ電池に切り替えることにより、携帯電話機の電源オンが気付かれることなく、周辺機器の個別識別情報が得られ、犯罪等に巻き込まれた場合の場所特定に役立つ。
【符号の説明】
【００５４】
１、１ｂ  ブルートゥース通信部
２、２ｂ  ブルートゥース用アンテナ
３、３ｂ  無線ＬＡＮ通信部
４、４ｂ  無線ＬＡＮ用アンテナ
５  送受信部
６  送受信用アンテナ
７  メイン電池
８  サブ電池
９、９ｂ  制御部
１０  電源供給検出・切替部
１１  タイマ
１２  操作部
１３  表示部
１４  メールデータ生成部
Ａ２０  携帯電話機
Ｂ２１  携帯電話機
２２  無線ＬＡＮアクセスポイント
２３  電話通信網
２４  インターネット網
２５  ＰＣ端末
【図１】
2011109512.tif 000003
【図２】
2011109512.tif 000004
【図３】
2011109512.tif 000005
【図４】
2011109512.tif 000006
【図５】
2011109512.tif 000007
【図６】
2011109512.tif 000008